(57)【要約】【課題】  電気光学装置において均質な表示を実現する。【解決手段】  走査線駆動部及びデータ線駆動部の少なくとも一方は、複数の走査線に対する走査信号の供給方向及び複数のデータ線に対する画像信号の供給方向の少なくとも一方が反転可能である。制御部は、(i)走査信号の供給方向及び画像信号の供給方向の少なくとも一方が所定の反転周期で反転するように、走査線駆動部及びデータ線駆動部の少なくとも一方の動作を制御すると共に、(ii) メモリに書き込んだ画像信号における、複数の画像信号の配列順序が反転周期で反転した状態で読み出されるように、メモリにおける画像信号の書き込み及び読み出しを制御する。【選択図】      図５
2006030529.tif 000002
【特許請求の範囲】
【請求項１】
互いに交差して延びる複数のデータ線及び複数の走査線と、前記データ線及び前記走査線に夫々接続され表示面を構成する複数の画素部とを備えた電気光学装置を駆動するために用いられる電気光学装置用駆動回路であって、
前記複数の画素部の夫々に階調表示を行わせるための画像信号の書き込み及び読み出しが可能なメモリと、
前記走査線を選択する走査線駆動部と、
前記データ線を選択し、前記選択したデータ線に前記メモリから読み出した前記画像信号を供給する前記データ線駆動部と、
前記複数の走査線における選択順序及び前記複数のデータ線における選択順序の少なくとも一方が所定の反転周期で反転するように、前記走査線駆動部及び前記データ線駆動部の少なくとも一方の動作を制御すると共に、前記メモリに書き込まれた画像信号が、前記画像信号の配列順序が前記反転周期で反転した状態で読み出されるように、前記メモリにおける前記画像信号の書き込み及び読み出しを制御する制御部と
を備えたことを特徴とする電気光学装置用駆動回路。
【請求項２】
前記走査線駆動部及び前記データ線駆動部の少なくとも一方は、前記走査信号又は前記画像信号の供給タイミングを制御する転送信号を各段から順次出力すると共に、該各段の駆動順序が方向制御信号に基づいて反転可能なシフトレジスタを含んでおり、
前記制御部は、前記方向制御信号を前記シフトレジスタに前記反転周期で入力することにより、前記走査線駆動部及び前記データ線駆動部の少なくとも一方の信号供給動作を制御することを特徴とする請求項１に記載の電気光学装置用駆動回路。
【請求項３】
前記反転周期は、一画面を表示する画面表示期間を単位とすることを特徴とする請求項１又は２に記載の電気光学装置用駆動回路。
【請求項４】
前記走査信号の供給方向を反転させる場合に、前記反転周期は、水平走査期間を単位とすることを特徴とする請求項１から３のいずれか一項に記載の電気光学装置用駆動回路。
【請求項５】
前記走査線駆動部及び前記データ線駆動部は、前記画素部の夫々に、一画面に対応する画像信号を該一画面を表示する画面表示期間が分割されてなる単位期間毎に供給し、前記画素部の夫々を前記画面表示期間内に複数回駆動することを特徴とする請求項１から請求項４のいずれか一項に記載の電気光学装置用駆動回路。
【請求項６】
前記メモリは少なくとも２つのフレームメモリを含み、
該２つのフレームメモリは、一画面に対応する同一の画像信号が書き込まれると共に、一方は、前記複数の画像信号の配列順序が正転した状態で前記画像信号が読み出される正転用メモリとして機能し、他方は、前記複数の画像信号の配列順序が反転した状態で前記画像信号が読み出される反転用メモリとして機能するように前記制御部に制御されていることを特徴とする請求項５に記載の電気光学装置用駆動回路。
【請求項７】
請求項１から請求項６のいずれか一項に記載の電気光学装置用駆動回路と、前記複数のデータ線及び前記複数の走査線と、前記複数の画素部とを備えたことを特徴とする電気光学装置。
【請求項８】
請求項７に記載の電気光学装置を備えたことを特徴とする電子機器。
【請求項９】
互いに交差して延びる複数のデータ線及び複数の走査線と、前記データ線及び前記走査線に夫々接続され表示面を構成する複数の画素部とを備えた電気光学装置に適用される電気光学装置用駆動方法であって、
前記複数の画素部の夫々に階調表示を行わせるための画像信号の書き込み及び読み出しが可能なメモリを利用して、前記メモリに書き込まれた画像信号を、前記複数の画素信号の配列順序が所定の反転周期で反転した状態で読み出すデータ配列反転ステップと、
前記複数の走査線の選択順序及び前記複数のデータ線の選択順序の少なくとも一方を前記所定の反転周期で反転させる順序反転ステップと、
前記複数の走査線に走査信号を供給すると共に、前記複数のデータ線に前記複数の画像信号を供給して前記複数の画素部の夫々に前記画像信号を書き込む、書込ステップと
を含むことを特徴とする電気光学装置用駆動方法。
【発明の詳細な説明】
【技術分野】
【０００１】
本発明は、例えば液晶装置等の電気光学装置に搭載される電気光学装置用駆動回路及びその駆動方法、並びに、該電気光学装置、更に該電気光学装置を備えて構成される電子機器の技術分野に関する。
【背景技術】
【０００２】
この種の駆動回路は、例えば液晶装置等の電気光学装置の基板上に、データ線を駆動するためのデータ線駆動回路や走査線を駆動するための走査線駆動回路等として作り込まれる。その動作時には、走査線駆動部による垂直走査で選択された画素部の行に、データ線駆動部からデータ線を通じて画像信号が供給され、データが書き込まれる。
【０００３】
駆動方式には、駆動中に発生する表示不良を低減するための工夫がなされている。例えば、表示画面のフリッカ、液晶の焼付きや劣化を防ぐために、一般に極性反転駆動方式が採られる。例えば、フィールド反転駆動方式やフレーム反転駆動方式では、フィールド毎やフレーム毎に、画像信号の極性が反転される。また、行反転駆動方式や列反転駆動方式では、フレームやフィールド反転しつつ更に行毎や列毎に画像信号の極性が反転される。
【０００４】
フリッカの防止方法としては、１フレーム分の画像信号をメモリに蓄え、時間軸を圧縮して読み出すことにより、駆動周波数を高める方法が知られている（例えば、特許文献１を参照）。
【０００５】
【特許文献１】特許２６０５２６１号公報
【発明の開示】
【発明が解決しようとする課題】
【０００６】
しかしながら、画面の左右方向又は上下方向の書き込み特性差による表示不具合に対しては、上記以外の解決方法が必要である。「書き込み特性差」とは、具体的には、画像信号のサンプリングに用いる薄膜トランジスタ（Thin Film Transistor：以下適宜“ＴＦＴ”と呼ぶ）の特性差等に起因して生じる、左右方向でのゴーストの発生範囲や発生頻度等の違いや、表示輝度の上下方向の傾斜による輝度斑などである。
【０００７】
本発明は、例えば上記問題点に鑑みなされたものであり、均質な表示を可能とする電気光学装置用駆動回路及び電気光学装置用駆動方法、並びに、これらを適用した電気光学装置及び電子機器を提供することを課題とする。
【課題を解決するための手段】
【０００８】
本発明の電気光学装置用駆動回路は、上記課題を解決するために、互いに交差して延びる複数のデータ線及び複数の走査線と、前記データ線及び前記走査線に夫々接続され表示面を構成する複数の画素部とを備えた電気光学装置を駆動するために用いられる電気光学装置用駆動回路であって、前記複数の画素部の夫々に階調表示を行わせるための画像信号の書き込み及び読み出しが可能なメモリと、前記走査線を選択する走査線駆動部と、前記データ線を選択し、前記選択したデータ線に前記メモリから読み出した前記画像信号を供給する前記データ線駆動部と、前記複数の走査線における選択順序及び前記複数のデータ線における選択順序の少なくとも一方が所定の反転周期で反転するように、前記走査線駆動部及び前記データ線駆動部の少なくとも一方の動作を制御すると共に、前記メモリに書き込まれた画像信号が、前記画像信号の配列順序が前記反転周期で反転した状態で読み出されるように、前記メモリにおける前記画像信号の書き込み及び読み出しを制御する制御部とを備えている。
【０００９】
本発明の電気光学装置用駆動回路によれば、駆動時に、走査線の選択順序とデータ線の選択順序のうちの一方又は両方は、所定周期で反転される。ここでいう「選択」とは、所謂マトリクス駆動方式において、画像信号を供給する画素部を一意に選択する趣旨であり、選択された走査線に電圧を印加して画素列を選択し、選択されたデータ線に画像信号を供給することで、画素列のうちの一つの画素部に書き込みが行われる。
【００１０】
具体的には、走査線に対する走査信号の供給方向（即ち、垂直走査方向。以下、適宜“垂直走査方向”と呼ぶ）、及びデータ線に対する画像信号の供給方向（即ち、水平走査における画像信号の書き込み方向。以下、適宜“水平走査方向”と呼ぶ）のうちの一方又は両方が、所定周期で反転される。例えば、データ線駆動部が、奇数番目の画面では画像信号を画面の左側から右側の方向に順次供給する一方で、偶数番目の画面では反対に右側から左側の方向に供給する。或いは、走査線駆動部が、奇数番目の画面では走査信号を画面の上側から下側の方向に順次供給する一方で、偶数番目の画面では反対に下側から上側の方向に供給する。つまり、例えば画面毎に、水平走査方向或いは垂直走査方向を反転させるのである。
【００１１】
このような信号の供給方向の反転は、走査線駆動部及びデータ線駆動部のうちの一方又は両方の信号供給方向が、制御部に制御されることによって実現される。その際、制御部は、一画面毎などの所定の反転周期で信号供給方向を反転させる。このため、画面の左右方向に生じるゴースト差や上下方向に生じる輝度斑が時間軸上で平均化され、均質な表示が可能となる。
【００１２】
ここで、制御部は、この駆動回路全体の動作を制御するコントローラとして構築されてもよいし、反転動作制御部として駆動部内に付設されていてもよい。また、信号の供給方向の反転動作を制御する部分と、メモリにおける反転動作を制御する部分とが分離されてもよい。また、「反転周期」は、例えばフレーム単位、フィールド単位、或いはライン単位などの、信号の供給方向の反転が実際に可能な範囲で適宜に設定されてよい。
【００１３】
信号の供給方向を反転させると、それに応じて画像信号の供給順を変えなければ、適正な表示ができなくなる。画像信号は、画素に対応する画像信号が、通常の走査方向に応じた順序で配列してなる。そこで、本発明の駆動回路では、信号供給方向の反転に対応して、画像信号の配列順序を反転させるように構成されている。具体的にはメモリを用い、メモリへの書き込み時又は読み出し時に、画像信号の順序を入れ替えればよい。この結果、画像信号の配列順序が常に画面の走査方向に対応し、適正に画像を表示することができる。尚、用いるメモリは、少なくとも反転周期に対応する画像信号が格納されるだけの容量があればよいが、その場合は反転周期に応じて書き込み又は読み出しの方向を反転させる必要がある。例えば反転させる画像信号と、反転させない画像信号とを別々のメモリに分けて書き込むようにしてもよい。その場合は、書き込み又は読み出しの方向が一方のメモリでは常に反転し、他方のメモリでは全く反転しないというように、メモリ同士の動作方向が異なる。更に、画像信号をその配列順序を反転させながら読み出し、他のメモリに移しかえるようにしてもよい。
【００１４】
以上に説明したように、本発明の電気光学装置用駆動回路によれば、所定の反転周期で水平走査方向及び垂直走査方向の一方又は両方を反転させるために、水平走査方向或いは垂直走査方向が一定であるために生じる「書き込み特性差」が均され、均質な表示が可能となる。また、こうした走査方向の反転に合わせて画像信号の配列順序を反転させるようにしたので、適正な画像を表示することが保証される。
【００１５】
本発明の電気光学装置用駆動回路の一態様では、前記走査線駆動部及び前記データ線駆動部の少なくとも一方は、前記走査信号又は前記画像信号の供給タイミングを制御する転送信号を各段から順次出力すると共に、該各段の駆動順序が方向制御信号に基づいて反転可能なシフトレジスタを含んでおり、前記制御部は、前記方向制御信号を前記シフトレジスタに前記反転周期で入力することにより、前記走査線駆動部及び前記データ線駆動部の少なくとも一方の信号供給動作を制御する。
【００１６】
この態様によれば、走査線駆動部及びデータ線駆動部の少なくとも一方におけるシフトレジスタの駆動方向を方向制御信号で正転又は反転させることによって、信号の供給方向の反転が実現される。シフトレジスタの駆動方向は、通常は固定されているが、例えば、シフトレジスタスタート信号をシフトレジスタの左右いずれの端に入力するかによって、その駆動方向を左右に切り換えることができる。方向制御信号は、例えばシフトレジスタスタート信号の入力先をシフトレジスタの左右のどちらにするかを決める信号であってもよいし、シフトレジスタスタート信号自体であってもよい。
【００１７】
このように走査線駆動部或いはデータ線駆動部に内蔵されたシフトレジスタの駆動方向を制御するようにすれば、走査方向の制御を比較的簡便に行うことが可能である。
【００１８】
本発明の電気光学装置用駆動回路の他の態様では、前記反転周期は、一画面を表示する画面表示期間を単位とする。
【００１９】
この態様によれば、一画面毎或いは数画面毎に（換言すると、１フィールド分或いは数フィールド分の画像信号を供給する度に）、水平走査方向、及び垂直走査方向の少なくとも一方が反転される。但し、この場合の反転周期は、画像信号の長さに依拠したフィールド期間ではなく、あくまで一画面の表示期間である。例えば、倍速で書き込みを行い、通常の１フィールド期間に同じ画像を繰り返し書き込んで表示する場合には、供給されるのが同一信号であっても、やはり１フィールド分の画像信号を供給する度に信号の供給方向を反転させる。
【００２０】
この場合は、反転周期が画面表示期間を単位とすることから、反転制御に垂直同期信号をそのまま利用することができる。
【００２１】
本発明の電気光学装置用駆動回路の他の態様では、前記走査信号の供給方向を反転させる場合に、前記反転周期は、水平走査期間を単位とする。
【００２２】
この態様によれば、一ライン毎、数ライン毎に画像信号の供給方向が反転される。そのため、左右の表示斑が画面毎に均され、より均質な表示が可能となる。また、この場合は、反転周期が水平走査期間を単位とすることから、反転制御に水平同期信号をそのまま利用することができる。
【００２３】
本発明の電気光学装置用駆動回路の他の態様では、前記走査線駆動部及び前記データ線駆動部は、前記画素部の夫々に、一画面に対応する画像信号を該一画面を表示する画面表示期間が分割されてなる単位期間毎に供給し、前記画素部の夫々を前記画面表示期間内に複数回駆動する。
【００２４】
この態様によれば、各画素部は、画面表示期間内に複数回駆動される。即ち、各画素部が倍速駆動或いはｎ（但し、ｎは２以上の整数）倍速駆動される。より具体的には、例えばバッファメモリに読み込まれた１フィールド又は１フレーム分の画像信号は、１フィールド又は１フレーム分の期間内に、倍速或いはｎ倍速でバッファメモリから読み出され、この一画面分（例えば１フィールド又は１フレーム分）の画像信号が、１フィールド又は１フレームよりも短周期で、各画素にｎ回繰り返して書き込まれる。このとき、一つの画素部に着目すると、同一画像表示期間内では、単位期間毎に同一画像信号が繰り返し供給される。
【００２５】
このような倍速駆動では、駆動周波数が高いので、表示画像におけるフリッカやクロストークを抑制することができる。同様の理由で、仮にこのような“供給方向反転駆動”に起因して表示不具合が生じたとしても、それが視認されるのを可否することができる。また、倍速駆動は、液晶の印加電圧に対する応答性を改善する、つまり輝度値を画像信号に応じた値まで引き上げるのに一定の効果がある。更に、液晶に対する一回あたりの電圧印加時間が短くなり、液晶の劣化や焼付きを軽減することにも寄与し得る。
【００２６】
この態様では、前記メモリは少なくとも２つのフレームメモリを含み、該２つのフレームメモリは、一画面に対応する同一の画像信号が書き込まれると共に、一方は、前記複数の画像信号の配列順序が正転した状態で前記画像信号が読み出される正転用メモリとして機能し、他方は、前記複数の画像信号の配列順序が反転した状態で前記画像信号が読み出される反転用メモリとして機能するように前記制御部に制御されているようにしてもよい。
【００２７】
２倍速駆動を行うにあたり、通常はバッファとしてフレームメモリを２つ用意し、夫々に同一フレームの画像信号を書き込み、夫々のフレームメモリから時間をずらして読み出す方法が採られる。そこで、２つのフレームメモリのうち、一方を正転用メモリ、他方を反転用メモリとして使い分ける。正転用メモリは、書き込む方向と同方向に読み出すように用いる。反転用メモリは、書き込む方向とは逆方向に読み出すように用いる。よって、１フレーム期間に表示する２画面は、一方が通常通りに走査され、他方が所定の反転方向に走査される。
【００２８】
フレームメモリをこのように用いれば、倍速駆動用の構成のまま、本発明に係る「信号の供給方向反転」駆動を適用することができる。
【００２９】
本発明の電気光学装置は、上記課題を解決するために、上述した本発明の電気光学装置用駆動回路（但し、その各種態様を含む）と、前記複数のデータ線及び前記複数の走査線と、前記複数の画素部とを備える。
【００３０】
本発明の電気光学装置によれば、上述した本発明の電気光学装置用駆動回路を具備するので、均質な表示が可能である。この電気光学装置は、例えば液晶装置、有機ＥＬ装置、電子ペーパ等の電気泳動装置、電子放出素子を利用した表示装置（Field Emission Display及びSurface-Conduction Electron-Emitter Display）等の各種表示装置を実現することが可能である。
【００３１】
本発明の電子機器は、上記課題を解決するために、上述した本発明の電気光学装置（但し、その各種態様を含む）を備える。
【００３２】
本発明の電子機器によれば、上述した本発明の電気光学装置を具備している。この電気光学装置は、本発明の電気光学装置用駆動回路を搭載していることから、均質な表示が可能である。この電子機器は、例えば、投射型表示装置、テレビジョン受像機、携帯電話、電子手帳、ワードプロセッサ、ビューファインダ型又はモニタ直視型のビデオテープレコーダ、ワークステーション、テレビ電話、ＰＯＳ端末、タッチパネル等の各種の電子機器に適用が可能である。
【００３３】
本発明の電気光学装置用駆動方法は、上記課題を解決するために、互いに交差して延びる複数のデータ線及び複数の走査線と、前記データ線及び前記走査線に夫々接続され表示面を構成する複数の画素部とを備えた電気光学装置に適用される電気光学装置用駆動方法であって、前記複数の画素部の夫々に階調表示を行わせるための画像信号の書き込み及び読み出しが可能なメモリを利用して、前記メモリに書き込まれた画像信号を、前記複数の画素信号の配列順序が所定の反転周期で反転した状態で読み出すデータ配列反転ステップと、前記複数の走査線の選択順序及び前記複数のデータ線の選択順序の少なくとも一方を前記所定の反転周期で反転させる順序反転ステップと、前記複数の走査線に走査信号を供給すると共に、前記複数のデータ線に前記複数の画像信号を供給して前記複数の画素部の夫々に前記画像信号を書き込む、書込ステップとを含んでいる。
【００３４】
本発明の電気光学装置用駆動方法によれば、本発明の電気光学装置用駆動回路の項で前述したように、信号の供給方向（即ち、水平走査方向或いは垂直走査方向の一方又は両方の走査方向）を反転させる供給方向反転工程により、画面の左右方向及び上下方向の一方又は両方における表示の差異が均される。また、供給方向の反転と対応するように、画像信号の配列順序を反転させるデータ配列反転工程を行うことで、通常とは異なる走査方向で画素部に画像信号を書き込む場合にも、適正な画像が表示される。
【００３５】
従って、本発明の電気光学装置用駆動方法によれば、適正画像が表示されることを保証しつつ、その均質な表示を行うことを可能とする。
【００３６】
本発明のこのような作用及び他の利得は次に説明する実施の形態から明らかにされる。
【発明を実施するための最良の形態】
【００３７】
本発明の実施形態について図を参照しつつ説明する。以下の実施形態は、本発明の電気光学装置を液晶装置に適用したものである。
【００３８】
＜１：第１実施形態＞
本発明の電気光学装置に係る第１実施形態について、図１から図８を参照して説明する。
【００３９】
＜１−１：液晶装置の構成＞
先ず、本実施形態の電気光学装置としての液晶装置の構成を、図１から図４を参照して説明する。図１は、この液晶装置の外観的構成を表す平面図であり、図２は、図１のＩ−Ｉ’断面図である。図３及び図４は、この液晶装置における画素部の等価回路、及び、駆動回路部を含むブロック図を夫々表している。
【００４０】
図１において、液晶装置は、対向配置されたＴＦＴアレイ基板１０と対向基板２０との間に液晶層５０が挟持された構造をしている。即ち、本発明の一具体例として、この液晶装置には駆動回路内蔵型ＴＦＴアクティブマトリクス駆動方式が採用されている。画像が表示される画像表示領域１０ａは、額縁遮光膜５３によって規定され、ＴＦＴアレイ基板１０と対向基板２０とは、画像表示領域１０ａの周囲において、シール材５２により接着されている。
【００４１】
画像表示領域１０ａの周辺に位置する周辺領域には、データ線駆動回路１０１、及び、配線１０５によって相互接続された２つの走査線駆動回路１０４が配設される。更に、周辺領域では、ＴＦＴアレイ基板１０の一辺に沿って、外部接続端子１０２が複数配列するように形成されている。液晶装置は、外部接続端子１０２を通じて映像信号等の外部供給を受ける。
【００４２】
図２において、ＴＦＴアレイ基板１０側には、画素スイッチング用ＴＦＴや走査線、データ線等の配線の上層に画素電極９ａが設けられている。そして、画素電極９ａの直上に配向膜１６が形成されている。一方、対向基板２０側には、ストライプ状の遮光膜２３を介して対向電極２１が形成されている。対向電極２１の上層には、配向膜２２が形成されている。液晶層５０は、ＴＦＴアレイ基板１０及び対向基板２０の周縁をシール材５２により封止して形成した空間に、液晶を封入して形成される。液晶層５０における液晶配向は、画素電極９ａと対向電極２１との間に印加される電界に応じて変化するが、電界が印加されていない状態では、配向膜１６及び配向膜２２によって規定される配向状態をとるようになっている。
【００４３】
尚、ＴＦＴアレイ基板１０上には、データ線駆動回路１０１や走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶装置の品質、欠陥等を検査するための検査回路等が形成されていてもよい。
【００４４】
図３に示したように、画像表示領域１０ａにおいては、複数の走査線３ａ及び複数のデータ線６ａが相交差して配列しており、その線間に、走査線３ａ，データ線６ａの各一により選択される画素部が設けられている。各画素部には、ＴＦＴ３０、画素電極９ａ及び蓄積容量７０が設けられている。ＴＦＴ３０は、データ線６ａから供給される画像信号Ｓ１、Ｓ２、…、Ｓｎを選択画素に印加するために設けられ、ゲートが走査線３ａに接続され、ソースがデータ線６ａに接続され、ドレインが画素電極９ａに接続されている。画素電極９ａは、後述の対向電極２１との間で液晶容量を形成し、入力される画像信号Ｓ１、Ｓ２、…、Ｓｎを画素部に印加して一定期間保持するようになっている。蓄積容量７０の一方の電極は、画素電極９ａと並列してＴＦＴ３０のドレインに接続され、他方の電極は、定電位となるように、電位固定の容量配線４００に接続されている。
【００４５】
この液晶装置は、例えばＴＦＴアクティブマトリクス駆動方式を採り、走査線駆動回路１０４（図１参照）から各走査線３ａに走査信号Ｇ１、Ｇ２、…、Ｇ２ｍを後述する順序で印加すると共に、それによってＴＦＴ３０がオン状態となる水平方向の選択画素部列に対し、データ線駆動回路１０１（図１参照）からの画像信号Ｓ１、Ｓ２、…、Ｓｎを、データ線６ａを通じて印加するようになっている。これにより、画像信号が選択画素に対応する画素電極９ａに供給される。
【００４６】
その際、画像信号Ｓ１、Ｓ２、…、Ｓｎを各データ線６ａに線順次に供給してゆくようにしてもよいし、複数のデータ線６ａ（例えばグループ毎）に同じタイミングで供給するものとしてもよい。但し、本実施形態では、一例として、画像信号を線順次に供給する基本的な方式を採るものとして説明する。
【００４７】
ＴＦＴアレイ基板１０は、液晶層５０を介して対向基板２０と対向配置されているので（図２参照）、以上のようにして区画配列された画素部毎に液晶層５０に電界を印加することにより、両基板間の透過光量が画素部毎に制御され、画像が階調表示される。このとき各画素部に保持された画像信号は、蓄積容量７０によりリークが防止される。
【００４８】
図４において、本実施形態の液晶装置の駆動部６０は、データ線駆動回路１０１及び走査線駆動回路１０４の他、コントローラ６１、フレームメモリ６２及び６３の２画面分のフレームメモリ、ＤＡコンバータ６４を含んで構成されている。
【００４９】
コントローラ６１は、垂直同期信号Ｖsync、水平同期信号Ｈsync、及び画像信号DATAが入力されるように構成され、垂直同期信号Ｖsync、水平同期信号Ｈsyncに基づく各構成要素の動作タイミングを制御する機能を有している。ここでは特に、コントローラ６１は、本発明の「制御部」の一具体例として、(i) 走査線駆動回路１０４の信号供給方向を制御する機能と、(ii) フレームメモリ６２及び６３における画像信号DATAの読み出し方向を制御する機能とを有している。
【００５０】
尚、画像信号DATAは、少なくともフレームメモリ６２及び６３に書き込まれる前には、例えばＲＧＢ信号のように、ＲＧＢの各色の輝度を表すディジタル信号とされている。そのため、図示はしないが、コントローラ６１の前段にＲＧＢマトリクス回路等の信号処理回路が必要に応じて付加されていてもよい。また、画像信号DATAは、ノン・インターレス方式の信号、ないし、フレームメモリ６２又は６３に送出される前に２：１インターレス方式の信号にフィールド補間を施してノン・インターレス化された信号とする。
【００５１】
フレームメモリ６２及び６３は、交互に、例えば１フレーム毎に、一方に外部入力された１フレーム分の画像信号DATAを一時的に蓄えると共に、他方からは蓄積した画像信号DATAを表示用に出力させるように駆動される。ここで、フレームメモリ６２及び６３は、画像信号DATAをラインデータ単位に蓄積する構成とされ、後述するように、時間軸を圧縮して２倍速で画像信号を送出するためのバッファとして用いられる他、画像信号DATAの配列順序を入れ替えるために利用される。
【００５２】
また、ＤＡコンバータ６４は、フレームメモリ６２及び６３から読み出された画像信号DATAをアナログ信号に変換し、データ線駆動回路１０１に出力する機能を有している。
【００５３】
データ線駆動回路１０１は、シフトレジスタ１０１Ａ及びサンプリング回路１０１Ｂを含む。このデータ線駆動回路１０１は、コントローラ６１からのクロック信号ＣＬＸ、反転クロック信号ＣＬＸ’に基づいてシフトレジスタ１０１Ａにて順次生成された転送信号、或いはそれを更に整形した信号をサンプリングクロックとし、ＤＡコンバータ６４より入力されるアナログの画像信号をサンプリングするように動作する。そして、サンプリングにより得られた画像信号Ｓ１、Ｓ２、…Ｓｎの夫々を対応するデータ線６ａに印加するように動作する。
【００５４】
走査線駆動回路１０４は、コントローラ６１からのクロック信号ＣＬＹ、反転クロック信号ＣＬＹ’の入力に応じて、内蔵されたシフトレジスタ１０４Ａが走査信号Ｇ１、Ｇ２、…、Ｇｍを順次生成することで、基本的な線順次の水平走査が可能となっている。但し、本実施形態における走査線駆動回路１０４は、シフトレジスタ１０４Ａからの走査信号の出力順序が、ディレクション信号ＤＩＲＹに応じて切り替えられるように構成されている。ディレクション信号ＤＩＲＹは、走査信号の供給方向を、配列する走査線３ａの上側から下側へと向かう方向と、下側から上側へと向かう方向とで切り換えるための制御信号であり、走査線駆動回路１０４内部では、ディレクション信号ＤＩＲＹの値に応じて、シフトレジスタスタート信号（図示せず）がシフトレジスタに入力される。シフトレジスタ１０４Ａは、シフトレジスタスタート信号が上端に入力されると上端から下端に向かって駆動され、下端に入力されると下端から上端に向かって駆動される。走査信号の出力順序は、シフトレジスタ１０４Ａの駆動方向と対応しているので、このように構成されることによって、コントローラ６１は走査線駆動回路１０４における走査信号の走査線３ａに対する出力順序を制御することができる。
【００５５】
＜１−２：液晶装置の駆動方法＞
このような液晶装置の駆動方法について、更に図５から図８を参照して説明する。図５は、本実施形態の駆動方法を概念的に表している。図６は、フレームメモリ６２及び６３による動作手順を概念的に表している。図７は、本実施形態の駆動方法に係るタイミングチャートである。図８は、フレームメモリ６２及び６３による信号反転処理の手順を表している。
【００５６】
図５に示したように、本実施形態では、一画面分の表示期間を、通常のフレーム期間の２分の１とする。即ち、データ線駆動回路１０１及び走査線駆動回路１０４は２倍速駆動され、画像信号の書き込みは１フレーム期間に２画面分行われる。尚、以下では、２分の１フレーム期間、つまり画面を一回書き込んで表示する期間を適宜「単位期間」と呼ぶ。また、本実施形態では、一画面毎に垂直走査方向を反転させるように駆動する。具体的には、１フレーム期間内における最初の単位期間ｔ１では、通常通りに、画面の上から下に向かって順次水平走査を行うが、それに続く単位期間ｔ２では、逆に画面の下から上に向かって順次水平走査を行う。
【００５７】
先ず、走査方向の反転制御については、コントローラ６１が、単位期間周期で値が反転するディレクション信号ＤＩＲＹを走査線駆動回路１０４に出力し、それに応じて走査線３ａに対する走査信号Ｇ１、Ｇ２、…Ｇｍの出力順序の正転・反転を制御することにより実行される。即ち、図７のタイミングチャートにおいて、ディレクション信号ＤＩＲＹは、単位期間の周期で「０」と「１」を繰り返すように供給され、それに応じてシフトレジスタ１０１Ａの信号出力順序が反転し、図５のように垂直走査方向が反転される。
【００５８】
従って、一画面毎に垂直走査方向が反転することになる。ちなみに、一般的な駆動方法では、信号の垂直走査方向及び水平走査方向は固定されており、画像信号が上から下の順に書き込まれるために上下方向に輝度斑等の表示不具合が生じる。これに対し、本実施形態では、画像信号の上下方向の書き込み順序を単位期間毎に反転させることで、上下方向の輝度斑等が単位期間を周期として時間軸上で平均化され、均質な表示が可能となる。尚、詳細は後述するが、垂直走査方向が反転しても適正な画像を表示できるように、単位期間ｔ２における画像信号D-12 は、ラインデータの配列順序が反転された状態でデータ線６ａに供給される（図８（Ｂ）を参照）。
【００５９】
また、２倍速駆動については、フレームメモリ６２及び６３を用いて行われる。
【００６０】
図６において、逐次入力される画像信号DATA における同一のフレームデータD-1 をフレームメモリ６２及び６３の夫々に書き込む。そして、垂直同期信号Ｖsyncを周倍した垂直同期信号Ｖsync’に応じて、フレームメモリ６３の画像信号D-12 をフレームメモリ６２の画像信号D-11 から１／２フレーム期間だけ遅延させて読み出す。その結果、図７のタイミングチャートに示したように、同一画面を表す画像信号D-11 及びD-12 は、１フレーム期間内において画像信号D-12 が画像信号D-11 に対し１／２フレーム期間シフトされて重ね書きされる。
【００６１】
ここで、フレームメモリ６２を本発明の「正転用メモリ」の一例とし、フレームメモリ６３を本発明の「反転用メモリ」の一例として夫々を使い分ける。コントローラ６１は、フレームメモリ６２の書き込み方向と読み出し方向とを常に同方向に制御する。よって、画像信号D-11 は、フレームメモリ６２による書き込み／読み出しの前後でデータの配列順序が変化せず、通常通りにデータ線６ａに供給される。一方、コントローラ６１は、フレームメモリ６３の書き込み方向と読み出し方向とを常に逆方向に制御する。よって、画像信号D-12 は、フレームメモリ６３による書き込み／読み出しの前後でラインデータの配列順序が変化する。
【００６２】
図８（Ａ）、（Ｂ）には、このような反転動作手順の具体例が表されている。（Ａ）、（Ｂ）は夫々、フレームメモリ６２及び６３に対応しており、フレームメモリの左側には書き込み方向を、右側には読み出し方向を夫々矢印で表している。図８（Ａ）に示したように、フレームメモリ６２では、画像信号D-11 は上から順にアドレスを割り当てて書き込まれ、同じアドレス順（上から順に）に読み出されるので、読み出された画像信号D-11 におけるラインデータＡ、Ｂ、…Ｅの配列は、当初の順番どおり＜Ａ→Ｅ＞の順となる。図８（Ｂ）において、フレームメモリ６３では、画像信号D-12 の各ラインデータは上から順にアドレスを割り当てて書き込まれるが、アドレスを逆順に（下から順に）読み出されるので、読み出された画像信号D-12 における各ラインデータＡ、Ｂ、…Ｅの配列は、当初の順番から反転されて＜Ｅ→Ａ＞の順となる。そのため、図５のように単位期間ｔ２で水平走査を下から上に向かって行う際に、ラインデータも逆の順序で供給されることから、適正な画像を表示することができる。
【００６３】
このように、本実施形態では、単位期間周期で垂直走査方向を反転させるようにしたので、垂直走査方向が一定であるために生じる上下方向の輝度斑等の不具合が均され、均質な表示が可能となる。また、走査方向の反転に合わせて、画像信号DATA の配列順序を反転させるようにしたので、その場合でも適正な画像を表示することが保証される。
【００６４】
また、本実施形態では、フレームメモリ６２及び６３を用いて画像信号DATA のラインデータを一画面おきに反転させるようにしたので、倍速駆動用の構成のまま、本発明に係る「信号の供給方向反転」駆動を適用することができる。その結果、倍速駆動により、走査周波数は入力画像信号周波数の倍の１００Ｈｚ以上となるので、人間の視覚上で認識可能なフリッカ、更には「供給方向反転」駆動に起因した表示不具合を抑制することが可能である。
【００６５】
尚、本実施形態では、フレームメモリ６３が読み出し順序を反転させる場合を特に説明したが、書き込み順序を反転させるようにしても、画像信号内のデータ配列は同様に反転させることができる。
【００６６】
＜２：第２実施形態＞
本発明の電気光学装置に係る第２実施形態について、図９から図１２を参照して説明する。図９は、本実施形態の液晶装置における駆動回路部を含むブロック図を表している。図１０は、本実施形態の駆動方法を概念的に表している。図１１は、本実施形態の駆動方法に係るタイミングチャートである。図１２は、フレームメモリ６２及び６３による信号反転処理の手順を表している。尚、以降の実施形態における液晶装置の構成及び基本的な駆動方法は、第１実施形態と殆ど同様なため、第１実施形態と同様の構成要素については同様の符号を付し、その説明を適宜省略する。
【００６７】
第１実施形態では、垂直走査時の走査線３ａに対する走査信号の供給順序（即ち、垂直走査方向）を、画面毎に反転させながら画像信号を書き込む駆動方法について説明したが、ここでは、水平走査時のデータ線６ａに対する画像信号の供給順序（水平走査方向）を、画面毎に反転させる駆動方法について説明する。また、ここでも２倍速駆動を行うものとする。
【００６８】
図９において、本発明の「制御部」の一例たるコントローラ６１は、(i) データ線駆動回路１０１の信号供給方向を制御する機能と、(ii) フレームメモリ６２及び６３における画像信号DATAの読み出し方向を制御する機能とを有している。コントローラ６１は、走査線駆動回路１０４にディレクション信号ＤＩＲＹを入力する代わりに、データ線駆動回路１０１にディレクション信号ＤＩＲＸを入力することにより、画像信号Ｓ１、Ｓ２、…Ｓｎの供給方向を制御する。
【００６９】
データ線駆動回路１０１では、画像信号Ｓ１、Ｓ２、…Ｓｎの出力順序を統制する転送信号は、内蔵されたシフトレジスタ１０１Ａで生成される。本実施形態では、シフトレジスタ１０１Ａは転送信号の出力順序をディレクション信号ＤＩＲＸに応じて切り替えられるように構成されている。ディレクション信号ＤＩＲＸは、画像信号の供給方向を、配列するデータ線６ａの右側から左側へと向かう方向と、左側から右側へと向かう方向とで切り換えるための制御信号であり、データ線駆動回路１０１内部では、ディレクション信号ＤＩＲＸに応じたシフトレジスタスタート信号（図示せず）がシフトレジスタに入力される。シフトレジスタ１０１Ａは、シフトレジスタスタート信号が左端に入力されると左端から右端に向かって駆動され、右端に入力されると左端に向かって駆動される。画像信号の出力順序は、シフトレジスタ１０１Ａの駆動方向と対応しているので、このように構成されることによって、コントローラ６１はデータ線駆動回路１０１における画像信号Ｓ１、Ｓ２、…Ｓｎのデータ線６ａに対する出力順序を制御することができる。
【００７０】
次に、このような液晶装置の駆動方法について説明する。
【００７１】
図１０に示したように、複数のデータ線６ａに対する画像信号の供給順序（即ち、水平走査方向）を、一画面毎に反転させるように駆動する。具体的には、１フレーム期間内の単位期間ｔ１では、画面の左から右に向かって順次画像信号を供給するが、単位期間ｔ２では、逆に画面の右から左に向かって順次画像信号を供給する。これは、コントローラ６１が単位期間周期で値が反転するディレクション信号ＤＩＲＸをデータ線駆動回路１０１に出力し、それに応じてシフトレジスタ１０１Ａの出力順序、即ちデータ線６ａに対する画像信号Ｓ１、Ｓ２、…Ｓｎの出力順序の正転・反転を制御することにより実行される。
【００７２】
即ち、図１１のタイミングチャートにおいて、ディレクション信号ＤＩＲＸは、単位期間の周期で「０」と「１」を繰り返すように供給され、それに応じて図１０のように画像信号Ｓ１、Ｓ２、…Ｓｎの供給方向が反転される。また、ここでは、単位期間ｔ１には、フレームメモリ６２から読み出された画像信号D-21 がデータ線６ａに供給され、単位期間ｔ２には、フレームメモリ６３から読み出された画像信号D-22 がデータ線６ａに供給される。
【００７３】
そして、ここでは、画像信号Ｓ１、Ｓ２、…Ｓｎの供給方向が反転しても適正な画像を表示できるように、単位期間ｔ２における画像信号DATA は、各ラインデータ内のデータの配列順序が反転された状態でデータ線６ａに供給される（図１２（Ｂ）を参照）。一般的な駆動方法では、各水平走査におけるラインデータの供給方向は固定されており、データ線に対する画像信号の印加順序に起因して、ゴースト発生状況が左右方向で異なる等の表示不具合が生じる。これに対し、本実施形態では、画像信号の左右方向の書き込み順序を単位期間毎に反転させることで、左右方向の輝度斑等が単位期間を周期として時間軸上で平均化され、均質な表示が可能となる。
【００７４】
また、ここでは、コントローラ６１がフレームメモリ６２及び６３の動作を以下のように制御する。本発明の「正転用メモリ」の一例たるフレームメモリ６２では、ラインデータの書き込み方向と読み出し方向とを常に同方向とされる。一方、本発明の「反転用メモリ」の一例たるフレームメモリ６３では、ラインデータ内のデータの書き込み方向と読み出し方向とが、常に逆方向に制御される。その結果、フレームメモリ６２に書き込まれる画像信号D-21 は、書き込み／読み出しの前後でデータの配列順序が変化せず、通常通りにデータ線６ａに供給されるのに対し、フレームメモリ６３に書き込まれる画像信号D-22 は、書き込み／読み出しの前後で各ラインデータ内のデータの配列順序が変化する。
【００７５】
図１２の（Ａ）、（Ｂ）には、このような反転動作手順が具体的に表されている。（Ａ）、（Ｂ）は夫々、フレームメモリ６２及び６３に対応しており、左から順に(1) フレームメモリでの書き込み順序、(2) 読み出し順序、及び(3) 読み出された画像信号のデータ配列を表している。図１２（Ａ）において、フレームメモリ６２では、画像信号D-21 は左から順にアドレスを割り当てて書き込まれ、同じアドレス順（左から順に）に読み出されるので、読み出された画像信号D-21 におけるデータ配列は、当初の順番どおりである。図１２（Ｂ）において、フレームメモリ６３では、画像信号D-22 のラインデータＡ、Ｂ、…Ｅは夫々、左から順にアドレスを割り当てて書き込まれるが、アドレスを逆順に（右から順に）読み出されるので、読み出された画像信号D-22 における各ラインデータＡ、Ｂ、…Ｅ内のデータ配列は、当初の順番から反転されている。例えば、図示したように、ラインデータＡがデータ１〜１０、ラインデータＢがデータ１１〜２０、…というように各ラインデータが構成されているとき、各ラインデータは、このデータ順にフレームメモリ６３のアドレスを割り当てて書き込まれるが、アドレスを逆に読み出すことで、ラインデータＡはデータ１０からデータ１の順、ラインデータＢはデータ２０から１１の順、…というようにラインデータ内のデータ配列は反転する。そのため、図１０のように、単位期間ｔ２で水平走査方向が反転しても、各ラインデータ内のデータ配列も逆順で供給されることから、適正な画像を表示することができる。
【００７６】
このように、本実施形態では、単位期間周期で水平走査方向を反転させるようにしたので、水平走査方向が一定であるために生じる、ゴースト発生状況が左右で不均一になる等の不具合が均され、均質な表示が可能となる。その他の作用及び効果は、第１実施形態と同様である。
【００７７】
＜３：第３実施形態＞
本発明の電気光学装置に係る第３実施形態について、図１３及び図１４を参照して説明する。ここに、図１３は、本実施形態の駆動方法を概念的に表している。図１４は、フレームメモリ６２及び６３による信号反転処理の手順を表している。
【００７８】
図１３において、本実施形態における液晶装置は、駆動時に、水平走査方向と垂直走査方向の双方を一画面毎に反転させる。これは、コントローラ６１が、単位期間周期で値が反転するディレクション信号ＤＩＲＸ、ＤＩＲＹの夫々を走査線駆動回路１０４、データ線駆動回路１０１に出力することにより実行される。このとき、ディレクション信号ＤＩＲＹに応じて、シフトレジスタ１０４Ａの出力順序（即ち、走査線３ａに対する走査信号Ｇ１、Ｇ２、…Ｇｍの出力順序）の正転・反転が制御される。また、ディレクション信号ＤＩＲＸに応じて、シフトレジスタ１０１Ａの出力順序（即ち、データ線６ａに対する画像信号Ｓ１、Ｓ２、…Ｓｎの出力順序）の正転・反転が制御される。即ち、コントローラ６１は、第１実施形態における機能と、第２実施形態における機能とを併せ持つ。
【００７９】
このような液晶装置は、第１実施形態と同様にフレームメモリ６２及び６３を利用して２倍速駆動される。ここでは、単位期間ｔ１には、フレームメモリ６２から読み出された画像信号D-31 がデータ線６ａに供給され、単位期間ｔ２には、フレームメモリ６３から読み出された画像信号D-32 がデータ線６ａに供給される。単位期間ｔ２には、上述のようにディレクション信号ＤＩＲＸ、ＤＩＲＹに応じて、水平走査方向及び垂直走査方向が反転される。その際、画像信号Ｓ１、Ｓ２、…Ｓｎの供給方向が反転しても適正な画像を表示できるように、単位期間ｔ２における画像信号D-32 は、ラインデータの配列順序と、各ラインデータ内のデータの配列順序とが共に反転された状態でデータ線６ａに供給される。
【００８０】
図１４（Ａ）において、フレームメモリ６２では、(1) 画像信号D-31は上から順にアドレスを割り当てて書き込まれ、(2) 同じアドレス順（上から順に）に読み出されるので、(3) 読み出された画像信号D-31 におけるデータ配列は、当初の順番どおりである。一方、図１４（Ｂ）において、フレームメモリ６３では、(1) 画像信号D-32 の各ラインデータは左から順にアドレスを割り当てて書き込まれるが、(2) アドレスを逆順に（右から順に）読み出されるので、(3) 読み出された画像信号D-32 における各ラインデータ内のデータ配列は、当初の順番から反転されている。
【００８１】
例えば、画像信号D-32 のラインデータＡ、Ｂ、Ｃ、Ｄ、Ｅは、この順にフレームメモリ６３のアドレスを割り当てて書き込まれるが、アドレスを逆に読み出すことで、ラインデータの配列は、ラインデータＥ、Ｄ、Ｃ、Ｂ、Ａの順に反転する。更に、図示したように、ラインデータＡがデータ１〜１０、ラインデータＢがデータ１１〜２０、…というように各ラインデータが構成されているとき、各ラインデータは、このデータ順にフレームメモリ６３のアドレスを割り当てて書き込まれるが、アドレスを逆に読み出すことで、ラインデータＡはデータ１０からデータ１の順、ラインデータＢはデータ２０から１１の順、…というようにラインデータ内のデータ配列は反転する。そのため、図１３のように、単位期間ｔ２で水平走査方向及び垂直走査方向の双方が反転しても、ラインデータの配列も各ラインデータ内のデータ配列も逆順で供給されることから、適正な画像を表示することができる。
【００８２】
このように、本実施形態では単位期間周期で水平走査方向及び垂直走査方向を反転させるようにしたので、その作用及び効果は、第１実施形態及び第２実施形態と同様である。
【００８３】
＜４：第４実施形態＞
本発明の電気光学装置に係る第４実施形態について、図１５から図１７を参照して説明する。図１５は、本実施形態の駆動方法を概念的に表している。図１６は、本実施形態の駆動方法に係るタイミングチャートである。図１７は、フレームメモリ６２及び６３による信号反転処理の手順を表している。
【００８４】
図１５において、本実施形態における液晶装置は、駆動時に、水平走査方向をライン毎に反転させる。そして、各ラインは単位期間毎に反転し、単位期間ｔ１と単位期間ｔ２とで各ラインの水平走査方向が異なるように駆動される。これは、コントローラ６１が、第２実施形態におけるディレクション信号ＤＩＲＸの代わりに、水平走査期間毎に値が反転するディレクション信号ＤＩＲＸ’をデータ線駆動回路１０１に出力することにより実行される（図９を参照）。また、この液晶装置も前述した実施形態と同様に、フレームメモリ６２及び６３を利用して２倍速駆動される。
【００８５】
図１６において、ディレクション信号ＤＩＲＸ’は、水平同期信号Ｈsyncを周倍した水平同期信号Ｈsync’に応じて出力される。そして、ディレクション信号ＤＩＲＸ’に応じて、シフトレジスタ１０１Ａの出力順序（即ち、データ線６ａに対する画像信号Ｓ１、Ｓ２、…Ｓｎの出力順序）が一水平走査毎に正転・反転するように制御される。
【００８６】
その際、画像信号Ｓ１、Ｓ２、…Ｓｎの供給方向が反転しても適正な画像を表示できるように、各単位期間に供給されるフレームデータとしての画像信号DATA は、ラインデータの配列順序が、ライン毎に交互に反転された状態でデータ線６ａに供給される。そのためには、コントローラ６１がフレームメモリ６２及び６３の動作を、例えば、以下のように制御する。
【００８７】
図１７（Ａ）において、フレームメモリ６２では、(1) 画像信号D-41は上から順に、各ラインデータは左から順に、アドレスを順当に割り当てられて書き込まれる。そして、(2) 偶数番目のラインデータＢ及びＤだけはアドレスを逆順に（右から順に）読み出されるので、(3) 読み出された画像信号D-41 におけるデータ配列は、奇数番目のラインデータＡ、Ｃ、Ｅ内は当初の順番どおりであるが、偶数番目のラインデータＢ、Ｄ内のデータ配列は、当初の順番から反転されている。
【００８８】
また、図１７（Ｂ）において、フレームメモリ６３では、(1) フレームメモリ６２と同様に書き込みが行われるが、(2)(3) 読み出しは逆に、奇数番目のラインデータＡ、Ｃ、Ｅ内のデータ配列は当初の順番から反転されるのに対し、偶数番目のラインデータＢ、Ｄ内のデータ配列は当初の順番どおりとなるように行われる。尚、(3) のようなデータ配列は、ラインメモリを用いて実現することもできる。フレームメモリからラインデータを当初の順番で読み出して逐次ラインメモリに書き込み、例えば、一回書き込み又は読み出しを行う度に、このラインメモリへの書き込み時又は読み出し時のいずれかにおけるアドレスの順番を反転させる。
【００８９】
このように、本実施形態ではライン周期で水平走査方向を反転させるようにしたので、例えばゴースト発生状況等の左右方向の表示斑を空間的に均すことができ、より均質な表示が可能となる。その他の作用及び効果は、第１実施形態及び第２実施形態と同様である。
【００９０】
以上説明した実施形態においては、便宜的に画像信号の極性を無視しているが、これらの液晶装置において同時に面反転駆動等の極性反転駆動を行うようにしてもよい。通常の面反転駆動では、ＴＦＴの特性によって正極性の画面と負極性の画面とで輝度が等しくならずに、極性反転周期のフリッカが発生することがあるが、そのような不具合も倍速駆動を行うことによって吸収することができる。また、データ線の電位と画素電極の電位とが逆極性にある時間がより長い画素部からより多くの電荷がリークすることから、極性反転駆動時には輝度斑が発生することがある。但し、極性反転駆動に起因する輝度斑は、本発明に係る、時間的或いは空間的に走査方向を反転させる駆動方法によって改善することができる。更に、画面を走査線の延在方向において複数の部分面に分割し、偶数番目の部分面と奇数番目の部分面を、互いに相補の周期で極性反転させるようにしてもよい。
【００９１】
また、１フレーム期間を単位期間ｔ１及びｔ２に２分するようにしたが、更に多くの単位期間（ｔ１、ｔ２、…、ｔｎ：ｎは任意の自然数）に分割して、ｎ倍速駆動するようにしてもよい。
【００９２】
＜５：電子機器＞
次に、以上詳細に説明した電気光学装置をライトバルブとして用いた電子機器として、投射型カラー表示装置の一具体例について図１８を参照して説明する。図１８は、投射型カラー表示装置の図式的断面図である。
【００９３】
図１８において、投射型カラー表示装置の一例たる液晶プロジェクタ１１００は、第１実施形態から第４実施形態までのいずれかにおける液晶装置を用いた液晶モジュールを３個用意し、それぞれＲＧＢ用のライトバルブ１００Ｒ、１００Ｇ及び１００Ｂとして構成されている。液晶プロジェクタ１１００では、メタルハライドランプ等の白色光源のランプユニット１１０２から投射光が発せられると、３枚のミラー１１０６及び２枚のダイクロックミラー１１０８によって、ＲＧＢの三原色に対応する光成分Ｒ、Ｇ及びＢに分けられ、各色に対応するライトバルブ１００Ｒ、１００Ｇ及び１００Ｂにそれぞれ導かれる。この際特に、Ｂ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂによりそれぞれ変調された三原色に対応する光成分は、ダイクロックプリズム１１１２により再度合成された後、投射レンズ１１１４を介してスクリーン１１２０にカラー画像として拡大投射される。
【００９４】
この投射型カラー表示装置では、上記実施の形態の電気光学装置を用いたことにより、フリッカ等のノイズが極めて少ない、均質な表示が可能である。
【００９５】
本発明は、上述した実施形態に限られるものではなく、請求の範囲及び明細書全体から読み取れる発明の要旨、あるいは思想に反しない範囲で適宜変更可能であり、そのような変更を伴う電気光学装置用駆動回路及び電気光学装置用駆動方法、並びに該電気光学装置及び電子機器もまた、本発明の技術的範囲に含まれるものである。
【００９６】
例えば、上記実施形態ではＴＦＴを用いたアクティブマトリクス型の液晶装置を例に挙げて説明したが、本発明はこれに限定されず、例えば画素スイッチング素子にＴＦＤ（Thin
Film Diode）を用いたものや、パッシブマトリクス型のものなどに対しても適用可能である。また、液晶装置以外の、マトリクス駆動を行うことが可能であって、走査方向に起因して表示斑が生じるような電気光学装置も本発明の適用範囲である。そのような電気光学装置としては、例えば、有機ＥＬ装置、電子ペーパ等の電気泳動装置、電子放出素子を利用した表示装置（Field Emission Display及びSurface-Conduction Electron-Emitter Display）等が挙げられる。
【図面の簡単な説明】
【００９７】
【図１】電気光学装置の全体構成を示す平面図である。
【図２】図１のＩ−Ｉ’断面図である。
【図３】電気光学装置の画像表示領域を構成するマトリクス状に形成された複数の画素部における各種素子、配線等の等価回路である。
【図４】第１実施形態に係る電気光学装置の駆動系の構成を示すブロック図である。
【図５】第１実施形態に係る電気光学装置の駆動方法を説明するための図である。
【図６】第１実施形態に係る電気光学装置の駆動方法を説明するための図である。
【図７】第１実施形態に係る電気光学装置の駆動方法を説明するためのタイミングチャートである。
【図８】第１実施形態に係る電気光学装置の駆動方法を説明するための図である。
【図９】第２実施形態に係る電気光学装置の駆動系の構成を示すブロック図である。
【図１０】第２実施形態に係る電気光学装置の駆動方法を説明するための図である。
【図１１】第２実施形態に係る電気光学装置の駆動方法を説明するためのタイミングチャートである。
【図１２】第２実施形態に係る電気光学装置の駆動方法を説明するための図である。
【図１３】第３実施形態に係る電気光学装置の駆動方法を説明するための図である。
【図１４】第３実施形態に係る電気光学装置の駆動方法を説明するための図である。
【図１５】第４実施形態に係る電気光学装置の駆動方法を説明するための図である。
【図１６】第４実施形態に係る電気光学装置の駆動方法を説明するためのタイミングチャートである。
【図１７】第４実施形態に係る電気光学装置の駆動方法を説明するための図である。
【図１８】本発明の電気光学装置を適用した電子機器の一実施形態を示す図式的断面図である。
【符号の説明】
【００９８】
３ａ…走査線、６ａ…データ線、９ａ…画素電極、１０ａ…画像表示領域、３０…ＴＦＴ、４００…容量配線、５０…液晶層、７０…蓄積容量、６０…駆動部、６１…コントローラ、６２、６３…フレームメモリ、１０１…データ線駆動回路、１０４…走査線駆動回路、１０１Ａ、１０４Ａ…シフトレジスタ、１０１Ｂ…サンプリング回路、Ｇ１〜Ｇｍ…走査信号、Ｓ１〜Ｓｎ…（サンプリング後の）画像信号、DATA、D-11、D-21、D-21、D-22、D-31、D-32、D-41、D-42…（ディジタルデータとしての）画像信号、ｔ１、ｔ２…単位期間。
【図１】
2006030529.tif 000003
【図２】
2006030529.tif 000004
【図３】
2006030529.tif 000005
【図４】
2006030529.tif 000006
【図５】
2006030529.tif 000007
【図６】
2006030529.tif 000008
【図７】
2006030529.tif 000009
【図８】
2006030529.tif 000010
【図９】
2006030529.tif 000011
【図１０】
2006030529.tif 000012
【図１１】
2006030529.tif 000013
【図１２】
2006030529.tif 000014
【図１３】
2006030529.tif 000015
【図１４】
2006030529.tif 000016
【図１５】
2006030529.tif 000017
【図１６】
2006030529.tif 000018
【図１７】
2006030529.tif 000019
【図１８】
2006030529.tif 000020